(57)【特許請求の範囲】
【請求項１】
復水器フラッシュボックス２と、それに接続される配管類を復水器１に隣接した復水器フラッシュボックスの設置領域１１に設置する工法において、
前記復水器フラッシュボックスの設置領域１１には、復水器フラッシュボックスの設置スペース１２とそれに隣接した配管モジュールの設置スペース１３を設け、
前記配管モジュールの設置スペース１３に収容可能な形状で前記配管類をモジュール化して復水器フラッシュボックス２に接続することにより一体化し、
その一体化した復水器フラッシュボックス２と配管モジュール３を前記復水器フラッシュボックスの設置領域１１に吊り降ろし、
復水器フラッシュボックス２と配管モジュール３をそれらの設置スペース１２，１３に収容するようにして設置することを特徴とする復水器フラッシュボックスの設置工法。
【請求項２】
架台４を利用して配管モジュール３を構成することを特徴とする請求項１に記載の復水器フラッシュボックスの設置工法。
【発明の詳細な説明】
【０００１】
【発明の属する技術分野】
本発明は復水器に隣接して設置する復水器フラッシュボックスの設置工法に関し、特に予め復水器フラッシュボックスに配管モジュールを一体化し設置位置に搬入して設置するようにした復水器フラッシュボックスの設置工法に関する。
【０００２】
【従来の技術】
火力発電所などにおける蒸気タービンの排気は復水器で冷却して水に戻し、再び給水系統に戻される。このような蒸気タービンの排気のほかに、蒸気タービン回りには種々の蒸気もしくは気水混合体（以下、これらを雑排水という）が排出され、それらも給水系に戻して再利用される。
【０００３】
雑排水を復水器に直接フラッシュする方法も考えられるが、復水器内の冷却配管に雑排水が直接吹き付けられるので、当該配管に損傷を与える可能性がある。そこで従来から復水器フラッシュボックスを復水器に隣接して設置し、雑排水を一旦復水器フラッシュボックス内にフラッシュさせて衝撃エネルギーを吸収してから、それをそのフラッシュボックスの下部から復水器内に供給するようにしている。
【０００４】
図４は復水器とそれに隣接して設置された復水器フラッシュボックスを示す斜視図である。この例では３連の復水器１が密接配置され、その両側部に復水器フラッシュボックス２が設置される。これらはコンクリート製の柱、梁などで囲まれた設置領域に上方からクレーン等によりそれぞれ別個に吊り降ろして設置する。そして復水器フラッシュボックス２と復水器１の側部を互いに溶接等により接合すると共に、復水器フラッシュボックス２と復水器１の間に雑排水供給路を連通する。
【０００５】
なお、図面には手前側に復水器フラッシュボックス２を設置した例が示されているが、手前側と奥側の両方に復水器フラッシュボックス２が設置されている。復水器の設置領域（復水器フラッシュボックスの設置領域も含む）の上方はコンクリート製のタービン設置部になっており、その上に設置された蒸気タービンの排気はタービン設置部の一部を貫通する開口部から復水器１の上部に導入される。そして復水器１に導入された排気は冷却配管と熱交換して復水し、下部から排出されてポンプ等により給水系統に戻される。
【０００６】
復水器フラッシュボックス２に雑排水を導入するため、図示しない配管およびバルブ等（以下、これらを配管類という）が復水器フラッシュボックス２の側面に接続される。復水器フラッシュボックス２内へフラッシュした雑排水は気水混合体の形態でその下部から復水器１内に入り、そこで冷却されて復水と合流する。
【０００７】
従来の復水器フラッシュボックス２の設置手順を説明すると、先ず復水器フラッシュボックス２を復水器の設置領域に上方の開口部から吊り降ろし、復水器フラッシュボックス２の設置スペースに仮配置する。次に復水器１を同様に上方の開口部から吊り降ろし、復水器１の設置スペースに設置する。次に復水器フラッシュボックス２を復水器１に密着するように位置調整し、両者を互いに固定する。次いで配管類を復水器の設置領域の上方の開口部から吊り降ろし、復水器フラッシュボックス２の側部に接続する。
【０００８】
【発明が解決しようとする課題】
このように従来の工法では復水器フラッシュボックス２の設置後に配管類を復水器の設置領域の上方の開口部から吊り降ろして接続する。しかし復水器１の設置後の狭い開口部から配管類を吊り降ろす作業には多くの手間と時間を必要とする。さらに、吊り降ろした配管類を復水器フラッシュボックス２に接続する際にも、作業スペースが狭いため同様に多くの手間と時間を必要としていた。そのため他の配管工事および建築工事の工程に影響を及ぼし、それが工期長期化の主原因の一つになっていた。
そこで本発明はこのような従来の復水器フラッシュボックスの設置工法における問題を解決することを課題とする。
【０００９】
【課題を解決するための手段】
すなわち本発明は、復水器フラッシュボックスとそれに接続される配管類を復水器に隣接した復水器フラッシュボックスの設置領域に設置する工法である。この工法は、前記復水器フラッシュボックスの設置領域には、復水器フラッシュボックスの設置スペースとそれに隣接した配管モジュールの設置スペースを設け、前記配管モジュールの設置スペースに収容可能な形状で前記配管類をモジュール化して復水器フラッシュボックスに接続することにより一体化し、その一体化した復水器フラッシュボックスと配管モジュールを前記復水器フラッシュボックスの設置領域に吊り降ろし、復水器フラッシュボックスと配管モジュールをそれぞれの設置スペースに収容するようにして設置することを特徴とする。（請求項１）
【００１０】
上記設置工法において、架台を利用して配管モジュールを構成することができる（請求項２）。
【００１１】
【発明の実施の形態】
次に本発明の実施の形態を図面により説明する。図１は一体化した復水器フラッシュボックスと配管類の１例を示す斜視図である。復水器フラッシュボックス２の側部に配管モジュール３が取付けられている。配管モジュール３は架台４に配管５やバルブ６の配管類を組み込んで構成され、その架台４を復水器フラッシュボックス２の側部にボルト接合または溶接接合等により固定して一体化する。そしてこの配管モジュール３は、後述する復水器フラッシュボックスの設置領域における配管モジュールの設置スペースに収容可能な形状（または外形寸法）とされる。なお、図中３０は復水器フラッシュボックス２と配管モジュール３の一体化物を示す。
【００１２】
復水器フラッシュボックス２は図示のような厚さの比較的小さいステンレス鋼板製の箱状容器に形成され、下端一側が開口されている。そして配管モジュール３から復水器フラッシュボックス２内にフラッシュした雑排水は対向する内壁面に衝突して落下し、下部に設けた雑排水供給路から復水器１へ排出できるようになっている。
【００１３】
図２は図１に示す復水器フラッシュボックス２と配管モジュール３の一体化物３０を設置している状態を示す模式的な正面図であり、図３は図２のＡ−Ａ矢視方向から見た平面図である。
これらの図において、１は設置されるべき復水器、２は復水器フラッシュボックス、３は配管モジュール、１０は復水器の設置領域、１１は復水器フラッシュボックス２の設置領域、１２は復水器フラッシュボックスの設置スペース、１３は配管モジュールの設置スペース、１４は開口部、１５，１６，１７は梁、１８は復水排出路、１９は設置基盤、２０，２１は柱、２２は壁、２３はクレーン、２４は吊り具、２５はワイヤ、３０は一体化物である。
【００１４】
この例では、梁１５，１６、壁２２等で囲まれた空間に復水器の設置領域１０が形成され、その復水器の設置領域１０に隣接して復水器フラッシュボックスの設置領域１１が形成される。また復水器フラッシュボックスの設置領域１１は、復水器フラッシュボックスの設置スペース１２とそれに隣接する配管モジュールの設置スペース１３により構成される。そして配管モジュールの設置スペース１３はその上方が梁１７で規制（図２）され、左右が柱２０，２１で規制（図３）された空間からなる。そして配管モジュール３は、この配管モジュールの設置スペース１３に収容可能な形状とされている。
【００１５】
次にこれらの図を参照して設置手順を説明する。先ず図２のように復水器フラッシュボックス２と配管モジュール３を一体化した一体化物３０をクレーン２３の吊り具２４に掛合したワイヤ２５で水平に吊り上げて（ａ）の状態とする。次に吊り具２４とワイヤ２５を操作して一体化物３０を傾斜させて（ｂ）の状態とする。次いでその一体化物３０の姿勢を維持しながら開口部１４を通過して復水器の設置領域１０内に吊り降ろして（ｃ）の状態とする。
【００１６】
次に、一体化物３０を復水器フラッシュボックスの設置領域１１に横移動して（ｄ）の状態とする。この状態で復水器フラッシュボックス２が復水器フラッシュボックスの設置スペース１２に収容され、配管モジュール３が配管モジュールの設置スペース１３に収容される。次に一体化物３０を仮吊り具２６で仮吊りした後、一体化物３０からワイヤ２５を外す。
【００１７】
次に、クレーンに掛合させた復水器１を開口部１４から吊り降ろして復水器の設置領域１０における設置基盤１９上に固定して設置する。次いで一体化物３０を復水器１側に水平に横移動して両者を連結すると共に、復水器フラッシュボックス２を設置基盤１９上に固定して設置する。
そして復水器１と復水器フラッシュボックス２の間に雑排水供給路を接続し、さらに配管モジュール３の配管端部に雑排水供給源からの配管を接続する。これにより一体化物３０の設置が完了する。
【００１８】
【発明の効果】
以上のように本発明に係る復水器フラッシュボックスの設置工法は、配管モジュールの設置スペースに収容可能な形状で配管類をモジュール化して復水器フラッシュボックスに接続することにより一体化し、その一体化した復水器フラッシュボックスと配管モジュールを復水器フラッシュボックスの設置領域に吊り降ろし、復水器フラッシュボックスと配管モジュールをそれぞれの設置スペースに収容することを特徴とする。
【００１９】
本発明の設置工法によれば、従来工法のように復水器の設置後の狭い開口部から配管類を吊り降ろす必要がなく、設置作業の手間と時間が少なくなる。さらに、従来工法のように吊り降ろした配管類を狭いスペース内で復水器フラッシュボックスに接続する必要がなくなるので、配管類の接続に要した手間と時間が不要になる。そのため本発明の設置工法を採用することにより、他の配管工事および建築工事の工程に影響を及ぼすおそれがないので全体工期の短縮化に大きく寄与できる。
【００２０】
上記の設置工法において、架台を利用して配管モジュールを構成することができる。このような架台を使用することにより、配管類を安定に且つ精度よく所定形状に組み立ててモジュール化することができる。
【図面の簡単な説明】
【図１】復水器フラッシュボックス２と配管モジュール３の一体化物の模式的な斜視図。
【図２】本発明の設置工法の手順を説明する模式的な図。
【図３】図２のＡ−Ａ矢視方向から見た平面図。
【図４】復水器と復水器フラッシュボックスの設置状態を示す斜視図。
【符号の説明】
１  復水器
２  復水器フラッシュボックス
３  配管モジュール
４  架台
５  配管
６  バルブ
１０  復水器の設置領域
１１  復水器フラッシュボックスの設置領域
１２  復水器フラッシュボックスの設置スペース
１３  配管モジュールの設置スペース
１４  開口部
１５〜１７  梁
１８  復水排出路
１９  設置基盤
２０  柱
２１  柱
２２  壁
２３  クレーン
２４  吊り具
２５  ワイヤ
２６  仮吊り具
３０  一体化物
【図１】
0003728562.tif 000002
【図２】
0003728562.tif 000003
【図３】
0003728562.tif 000004
【図４】
0003728562.tif 000005